(57)【要約】【課題】グラビア輪転機或いはドライラミネータ装置等において、副ローラに付着する付着物を装置の稼動中に容易に除去することができ処理不良を回避できるローラ装置。【解決手段】主ローラ１と副ローラ２とで帯状シート体３を挟持して該帯状シート体３を処理搬送するローラ装置において、副ローラ２に当接し該副ローラ２の表面に付着した付着物を粘着力で除去する粘着ローラ１２を設けた。副ローラ２は、少なくともその外周部分がゴムで形成され、粘着ローラ１２は、少なくともその外周部分が粘着性を有する粘着樹脂で形成されている。【選択図】図１
2005195146.tif 000002
【特許請求の範囲】
【請求項１】
主ローラと、該主ローラと共に少なくとも１枚の帯状シート体を挟持して該帯状シート体を処理搬送する副ローラとを有するローラ装置であって、
前記副ローラに当接し該副ローラの表面に付着した付着物を粘着力で除去する粘着ローラを設けたことを特徴とするローラ装置。
【請求項２】
前記副ローラは、少なくともその外周部分がゴムで形成されているゴムローラである請求項１に記載のローラ装置。
【請求項３】
前記粘着ローラは、少なくともその外周部分が粘着性を有する粘着樹脂で形成されている請求項１又は請求項２に記載のローラ装置。
【請求項４】
前記粘着樹脂は、ウレタン樹脂である請求項３に記載のローラ装置。
【請求項５】
前記主ローラは、印刷ローラである請求項１に記載のローラ装置。
【請求項６】
前記印刷ローラは、グラビア印刷ローラである請求項５に記載のローラ装置。
【請求項７】
前記主ローラは、ラミネート用のラミネータローラである請求項１に記載のローラ装置。
【請求項８】
前記粘着ローラを回転自在に保持しつつ前記副ローラに対して密着及び離反する移動手段を備える請求項１に記載のローラ装置。
【発明の詳細な説明】
【技術分野】
【０００１】
本発明は、例えば、グラビア輪転機或いはドライラミネータ装置等、主ローラと副ローラとで帯状シート体を挟持して搬送しつつ帯状シート体に対して印刷或いは加圧接着或いは加圧加熱接着等の処理を行うローラ装置に関し、特に副ローラに付着する付着物を装置の稼動中に容易に除去することができ処理不良を回避できるようにする改良に関する。
【背景技術】
【０００２】
グラビア輪転機において、圧胴に異物が時々付着することがある。例えば、グラビア輪転機にはオートスプライサーが標準装備されており包材の継ぎ足しは装置の稼動を停止することなく行われるようになっており、包材の継ぎ足し時に生じるカスが圧胴に付着することがある。カスが圧胴に付着すると、圧胴のカスが付着した部分の母線と印刷ロールの母線との線接触が良好ではなくなり、カスの輪郭が浮き出る箔押ししたような印刷が行われ印刷不良になる。
同様に、ドライラミネータ装置において、最外層のフィルム包材、例えばＯＰＰの内面に接着剤を塗布して乾燥機に通して溶剤を飛ばした後、ＯＰＰフィルムの内面と、ヒートシール性を有する最内層の包材例えばＣＰ、或いは第二層の包材、例えばアルミニウム箔等を重ねて一対のラミネータローラ間に通して加圧処理して接着を行う場合に、いずれか一方の包材に付着して持ち込まれた異物がラミネータローラに付着することがある。異物がラミネータローラに付着すると、異物の輪郭が浮き出るような不均一な加圧接着となり接着不良または包材に凹みや縞が付いて製品不良になる。
グラビア輪転機やドライラミネータ装置に関する従来技術には例えば下記のものがある。
【特許文献１】特開２００３−７２０２２公報・・・グラビア輪転機
【特許文献２】特開２００３−２９１２１３公報・・・ラミネータ装置
【特許文献３】特開２００３−２６６５３８公報・・・ラミネータ装置  従来において、装置の稼動を停止することなく容易に取り除くことができる付帯装置は提供されていない。従来は、熟練技術者がウエス拭き取ることが行われており、危険が隣り合わせであった。装置の稼動を停止して付着物を取り除くと、数十メートルの包材が無駄になっていた。
【発明の開示】
【発明が解決しようとする課題】
【０００３】
本願発明は、上記の問題を解消するもので、例えば、グラビア輪転機或いはドライラミネータ装置等、主ローラと副ローラとで帯状シート体を挟持して搬送しつつ帯状シート体に対して印刷或いは加圧接着或いは加圧加熱接着等の処理を行うローラ装置であって、特に副ローラに付着する付着物を装置の稼動中に容易に除去することができ処理不良を回避できるローラ装置を提供することを目的としている。
【課題を解決するための手段】
【０００４】
本発明のローラ装置は、主ローラと、該主ローラと共に少なくとも１枚の帯状シート体を挟持して該帯状シート体を処理搬送する副ローラとを有するローラ装置であって、前記副ローラに当接し該副ローラの表面に付着した付着物を粘着力で除去する粘着ローラを設けたことを特徴とする。
本発明のローラ装置の前記副ローラは、少なくともその外周部分がゴムで形成されているものが適用できる。また、前記粘着ローラとしては、少なくともその外周部分が粘着性を有する粘着樹脂で形成されているものが好ましい。
前記粘着樹脂としては、ウレタン樹脂を用いることができる。
前記主ローラとしては、印刷ローラ、例えばグラビア印刷ローラとすることができる。
また、前記主ローラとしては、ラミネート用のラミネータローラとすることができる。
また、本発明のローラ装置は、粘着ローラ自身を回転自在に保持しつつ前記主粘着ローラに対して密着及び離反する移動手段を備えるものとするのが好ましい。
【発明の効果】
【０００５】
本発明のローラ装置は、主ローラと副ローラとで帯状シート体を挟持して処理搬送するローラ装置に粘着ローラを設けて、該粘着ローラを副ローラに当接し副ローラの表面に付着した付着物を粘着力で除去する構成であるので、帯状シート体の主ローラと副ローラとで挟持される個所に付着物による不均一な挟圧面が発生することが回避されるから、帯状シート体を均一に処理することができる。
前記副ローラが少なくともその外周部分がゴムで形成されているゴムローラであると、副ローラ及び粘着ローラの接触個所が扁平して接触面が大きくなり副ローラに回転に粘着ローラが良好に連れ回り回転できて、副ローラの表面に付着物するときには副ローラと粘着ローラが付着物に対応して凹むことにより副ローラ及び粘着ローラに傷が付くのが回避できかつ粘着ローラが付着物に十分に密着し副ローラとの密着力との相違から該付着物にを副ローラの表面から良好に除去することが可能である。そして、もしも、副ローラに傷が付いて帯状シート体の処理が不良になるときにはゴムの巻き付け交換が可能でありランニングコストを低く抑えられる。
前記粘着ローラを、少なくともその外周部分が粘着性を有する粘着樹脂で形成した場合には、適度の粘着性を有する粘着樹脂を選択して該粘着樹脂を鉄製或いはアルミニウム製のローラ本体に巻き付けたローラを採用することができて、ローラの必要な円筒度が確保できて、ローラの製作が容易であり製作コストを安価に抑えることができ、粘着樹脂の巻き付け交換が可能・ランニングコストを低く抑えられる。
粘着樹脂として粘着性を適度に調整したウレタン樹脂を採用することで架橋密度を適度に小さく制御できて粘着性を求める強さにすることが容易であり粘着ローラを安価にかつ容易に取り揃えることができランニングコストを低く抑えられる。
本発明のローラ装置は、主ローラである印刷ローラと圧胴である副ローラを有する印刷装置に広く適用でき、フィルム包材等の印刷に際して圧胴側に付着する付着物による印刷不良を該付着物を除去できることにより回避できる。特にグラビア輪転印刷装置に適用でき、フィルム包材等の印刷に際して圧胴側に付着する付着物による印刷不良を該付着物を除去できることにより回避できる。
また、本発明のローラ装置は、ラミネータ装置に広く適用でき、包材同士のドライラミネートに際して一方の圧胴に付着する付着物によるラミネート不良を該付着物を除去できることにより回避できる。
また、粘着ローラを回転自在に保持しつつ前記主粘着ローラに対して密着及び離反する移動手段を備えるものとする場合には、主ローラと副ローラで帯状シート体を挟持して処理搬送している稼動中に副ローラに付着物が付いたことを発見したときには装置を停止させることなく粘着ローラを副ローラに密着させて付着物を除去することができ、処理不良を回避できる。
【発明を実施するための最良の形態】
【０００６】
主ローラと副ローラとを接触回転させて連続する帯状シート体を挟持して搬送するようにして主ローラと副ローラとで共同して帯状シート体を印刷処理或いは加圧接着処理或いは加熱加圧接着処理を行うローラ装置であって、粘着ローラを設けるとともに該粘着ローラを回転自在に保持しつつ前記副ローラに対して密着及び離反する移動手段を設けることにより、装置の稼動中に、副ローラの表面に付着した付着物を粘着ローラで除去して処理不良を回避できるようにする。副ローラと粘着ローラの外周面が可撓性を有するようにして粘着ローラが副ローラの回転に連れ回りするようにして副ローラの表面に付着した付着物の粘着ローラへの転移を良好にする。
【実施例１】
【０００７】
本願発明のローラ装置をグラビア輪転機に適用する実施例を図１及び図２を参照して説明する。
例えば十色刷りできるグラビア輪転機は、十の印刷ステーションがあり、各一の印刷ステーションには、主ローラである印刷ロール１と副ローラである圧胴２を有し、印刷ロール１と圧胴２とで例えばフィルム製の包材である１枚の連続する帯状シート体３を挟持して該帯状シート体２を印刷処理搬送するようになっている。
【０００８】
印刷ロール１は、例えば、８０ｍｍφ〜３５０ｍｍφの大きさがあり、軸付きタイプとスリーブタイプがあり、駆動側と反駆動側の一対のチャック回転手段４，５により所定の高さに水平に両端チャックされ、ライン駆動装置により回転駆動される。
印刷ロール１は、インク皿６に貯留されるインクをファニッシャロール７により付着されドクターブレード８により余分なインキを書き取られセルに盛り付けられたインクを圧胴２と共同して例えばフィルム製の包材である１枚の連続する帯状シート体３に転移させる（印刷する）。
連続する帯状シート体３は、上流側のガイドロール９に掛けられてから圧胴２に掛けられ、そして、下流側のガイドロール１０に掛けられてから図示しない乾燥装置に通される。
【０００９】
圧胴２は、昇降押圧手段１１により水平に回転自在に両端支持され上下動され印刷ロール１に対して加圧状態に密着され、また離反上昇される。昇降押圧手段１１は、両側のマシンフレームに設けられた一対の縦ガイド１１ａと、各縦ガイド１１ａに係合案内され圧胴２の軸部２ａをフリー回転可能に両端支持する一対の軸受部１１ｂと、各軸受部１１ｂの両端上部に付設されたヒンジに下端位置に来るピストンヘッドが枢着され上端位置に来るシリンダヘッドがマシンフレームに枢着された一対のエアシリンダ装置１１ｃを有してなり、エアシリンダ装置１１ｃを伸張作動することにより一対の軸受部１１ｂを下降させて圧胴２を印刷ロール１に対して加圧状態に密着しうる構成である。
圧胴２は、一対のエアシリンダ装置１１ｃにより下降されて所定の印圧が生じるように印刷ロール１に対して強く押し付けられ、連続する帯状シート体３を挟んだ状態で印刷ロール１に対して転がり接触回転する（連れ回り回転する）。
圧胴２は、印刷ロール１を交換するとき、及び連続する帯状シート体３を通すときに印刷ロール１から離反上昇される。
【００１０】
圧胴２には、例えば、包材の継ぎ足し時に生じるカスが付着することがあり、カスが圧胴に付着すると、カスの輪郭が浮き出る箔押ししたような印刷が行われ印刷不良になる。
【００１１】
装置の稼動を停止することなく、圧胴２に付着するカス等の付着物を除去するために、粘着ローラ１２が設けられている。該粘着ローラ１２は、移動手段１３により回転自在に保持されつつ副ローラである圧胴２に密着及び離反するように構成される。
移動手段１３は、昇降押圧手段１１を構成する一対の軸受部１１ｂに設けられている。移動手段１３は、屈曲形状に形成されているリンクであって一端が粘着ローラ１２の両端軸部１２ａを枢支していてかつ屈曲部が軸受部１１ｂに枢着された揺動リンク１３ａと、揺動リンク１３ａの他端にピストンヘッドを枢着されかつシリンダヘッドを軸受部１１ｂに枢着されたエアシリンダ装置１３ｂとからなり、エアシリンダ装置１３ｂが縮小作動すると、揺動リンク１３ａが揺動して粘着ローラ１２の両端軸部を押し下げるように作動し、粘着ローラ１２が副ローラである圧胴２に密着する。エアシリンダ装置１３ｂの縮小作動はスイッチをオンすることにより圧胴２が一回転ないし数回転する時間だけ粘着ローラ１２を圧胴２に密着させるように設定されることが好ましい。又、副ローラである圧胴２の表面を撮影してディスプレイに表示される画像を監視して画像処理により異物が付着したことを検知しうる付着物検知システムを設けておいて、付着物検知システムの付着物検知信号に基づいてエアシリンダ装置１３ｂが所望時間だけ縮小作動するように設けることが一層好ましい。
【００１２】
該粘着ローラ１２は、副ローラである圧胴２に当接し圧胴２の表面に付着した付着物を粘着力で除去し、帯状シート体３の印刷ロール１と圧胴２とで挟持される個所に付着物による不均一な挟圧面が発生することが回避して、印刷ロール１と圧胴２による帯状シート体３に対する均一なる印圧を確保しインキの良好なる転移を保障する役目を果たす。
主ローラと副ローラで帯状シート体を挟持して処理搬送している稼動中に副ローラに付着物が付いたことを発見したときには装置を停止させることなく粘着ローラを副ローラに密着させて付着物を除去することができ、処理不良を回避できる。
【００１３】
副ローラである圧胴２は、少なくともその外周部分がゴムで形成されているゴムローラであることが望ましい。これは、副ローラ及び粘着ローラの接触個所が扁平して接触面が大きくなり副ローラに回転に粘着ローラが良好に連れ回り回転できて、副ローラの表面に付着物するときには副ローラと粘着ローラが付着物に対応して凹むことにより副ローラ及び粘着ローラに傷が付くのが回避できかつ粘着ローラが付着物に十分に密着し副ローラとの密着力との相違から該付着物にを副ローラの表面から良好に除去することが可能だからである。そして、もしも、副ローラに傷が付いて帯状シート体の処理が不良になるときにはゴムの巻き付け交換が可能でありランニングコストを低く抑えられる。
【００１４】
粘着ローラ１２は、少なくともその外周部分が粘着性を有する粘着樹脂、具体的にはウレタン樹脂で形成されていることが望ましい。これは、適度の粘着性を有する粘着樹脂を選択して該粘着樹脂を鉄製或いはアルミニウム製のローラ本体に巻き付けたローラを採用することができて、ローラの必要な円筒度が確保できて、ローラの製作が容易であり製作コストを安価に抑えることができ、粘着樹脂の巻き付け交換が可能・ランニングコストを低く抑えられるからである。又、粘着樹脂がウレタン樹脂であると、粘着ローラを安価にかつ容易に取り揃えることができランニングコストを低く抑えられる。
【実施例２】
【００１５】
本願発明のローラ装置をドライラミネータ装置に適用する実施例を図３を参照して説明する。
ドライラミネータ装置は、複数枚の包材を接着・積層する装置である。例えば、本願発明の構成要素の主ローラと副ローラである一対のラミネータローラ１４、１５間にＯＰＰ３ａとＣＰ３ｃの二枚の連続する包材を通して加圧処理して接着を行う。この実施例では、ＯＰＰ３ａとＣＰ３ｃが本願発明に係る帯状シート体である。なお、ＯＰＰは二軸延伸したポロプロピレン、ＣＰは無延伸のポロプロピレンである。
上記の場合、予め裏刷りされたＯＰＰ３ａの内面に接着剤を塗布して乾燥機に通して溶剤を飛ばした後、ＯＰＰフィルムの内面（図において上面）に、ヒートシール性を有するＣＰ３ｂを乾燥機に通さないで重ねて一対のラミネータローラ１４、１５間に通して加圧処理して接着を行う。なお、この例では、ラミネータローラ１４、１５によるＯＰＰ３ａとＣＰ３ｂの接着のための加圧はエアシリンダ装置１６が上側のラミネータローラ１４を枢支している揺動リンク１７を引き下げて行う。ラミネータローラ１５がドライブロールである。
いずれか一方の包材に付着して持ち込まれた異物が一方のラミネータローラに付着することがあると、異物の輪郭が浮き出るような不均一な加圧接着となり接着不良または包材に凹みや縞が付いて製品不良になるので、装置の稼動を停止することなく、ラミネータローラに付着するカス等の付着物を除去するために、移動手段１８により粘着ローラ１２がラミネータローラ１４に密着及び離反するように設けられる。そうした移動手段１８は、例えば揺動リンク１７に対して実施例１に準じるメカニカル装置として設けられるのが好ましい。
ラミネータローラ１４、１５のうちのいずれか一方が主ローラであり、他方が副ローラであれば足りる。粘着ローラ１２は、付着物が付き易い上側のラミネータローラ１４に対して設けられる。ドライラミネータ装置では、粘着ローラ１２を下側のラミネータローラ１５に対しても設けても良い。
付着物検知システムを設けて、粘着ローラ１２をラミネータローラに密着及び離反するように設けることが好ましい。
【００１６】
副ローラであるラミネータローラ１４は、少なくともその外周部分がゴムで形成されているゴムローラであり、粘着ローラ１２は、少なくともその外周部分が粘着性を有する粘着樹脂、具体的にはウレタン樹脂で形成されていることが望ましい。
【産業上の利用可能性】
【００１７】
本願発明のローラ装置は、グラビア輪転機とドライラミネート装置に限定されない。例えば、コーター装置にも適用される。
【図面の簡単な説明】
【００１８】
【図１】本願発明のローラ装置をグラビア輪転機に適用した場合を示す実施例１のローラ装置の概略正面図である。
【図２】実施例１のローラ装置の概略側面図である。
【図３】本願発明のローラ装置をドライラミネート装置に適用した場合を示す実施例２のローラ装置の概略正面図である。
【符号の説明】
【００１９】
１・・・主ローラ（印刷ローラ）、２・・・副ローラ（圧胴）、３・・・帯状シート体、１２・・・粘着ローラ、１３・・・移動手段、１３ａ・・・屈曲リンク、１３ｂ・・・エアシリンダ装置、１４・・・副ローラ（ラミネータローラ）、１５・・・主ローラ（ラミネータローラ）、３ａ,３ｂ・・・帯状シート体、１８・・・移動手段
【図１】
2005195146.tif 000003
【図２】
2005195146.tif 000004
【図３】
2005195146.tif 000005